(57)【要約】【課題】印刷用紙上に印刷された絵柄に伸びが生じた場合であっても、絵柄上に印刷された文字/番号の検査を正確に行うことが可能な有価証券の文字/番号検査装置及び文字/番号検査方法を提供する。【解決手段】複数の有価証券の絵柄が印刷された大判印刷物１の各絵柄上に印刷された文字/番号列１ｂを撮像するカメラ１２４と、カメラ１２４によって撮像された画像データに基づいて各有価証券内に印刷された文字/番号の適否を判断する文字/番号検査装置１０とを備えた有価証券の文字/番号検査装置において、文字/番号検査装置１０が、小切れ１ａの大判印刷物１上の位置に応じて設定された複数の判断基準に基づいて小切れ１ａ内の文字/番号列１ｂの適否の判断を行うようにした。【選択図】図５
2018008414.tif 000002
【特許請求の範囲】
【請求項１】
複数の有価証券が印刷された印刷用紙の各有価証券内に印刷された記番号を撮像する撮像手段と、
前記撮像手段によって撮像された画像データに基づいて各有価証券内に印刷された記番号の適否を判断する文字/番号検査手段と
を備えた有価証券の文字/番号検査装置において、
前記文字/番号検査手段は、有価証券の印刷用紙上の位置に応じて設定された複数の判断基準に基づいて各有価証券内に印刷された記番号が正常に印刷されているか否かを判断する
ことを特徴とする有価証券の文字/番号検査装置。
【請求項２】
前記文字/番号検査手段が、各記番号の印刷品質及び記番号列の位置について正常か否かの判断を行い、
各記番号の印刷品質の判断基準は全ての有価証券で同一に設定され、
記番号列の位置の判断基準は有価証券の印刷用紙上の位置に応じて複数設定されている
ことを特徴とする請求項１記載の有価証券の文字/番号検査装置。
【請求項３】
複数の有価証券が印刷された印刷用紙の各有価証券内に印刷された記番号を撮像し、撮像された画像データに基づいて各有価証券内に印刷された記番号が正常に印刷されているか否かを判断する有価証券の文字/番号検査方法において、
各有価証券内に印刷された記番号が正常に印刷されているか否かを、有価証券の印刷用紙上の位置に応じて設定された複数の判断基準に基づいて判断する
ことを特徴とする有価証券の文字/番号検査方法。
【請求項４】
各記番号の印刷品質の判断基準が全ての有価証券で同一に設定され、
記番号列の位置の判断基準が有価証券の印刷用紙上の位置に応じて複数設定されている
ことを特徴とする請求項３記載の有価証券の文字/番号検査方法。
【発明の詳細な説明】
【技術分野】
【０００１】
本発明は、有価証券の文字/番号検査装置及び文字/番号検査方法に関する。
【背景技術】
【０００２】
紙幣等の証券印刷物（以下、有価証券という）においては、一枚の印刷用紙（大判印刷物）に６行×５列等の複数の有価証券の絵柄がいわゆる多面付印刷により同時に印刷され、さらに各絵柄に対し番号印刷装置により製造時の管理のための文字/番号（記番号。例えば、アルファベットと算用数字とを組み合わせたもの）が印刷される。以下、各絵柄の上に文字/番号が印刷されたものを小切れと称する。
【０００３】
印刷された文字/番号は、番号検査装置により人が見て違和感を抱かないように正確に印刷されているか、基準マーク（＝リファレンス・マーク）に対して正確な位置に印刷されているか、管理しやすいように正確な連番で印刷されているか等が検査され、その後、大判印刷物が各小切れごとに断裁され、有価証券として使用される。
【０００４】
従来、上述したような番号検査装置を備えた番号印刷装置として、例えば、下記特許文献１等に記載されたものが知られている。
【先行技術文献】
【特許文献】
【０００５】
【特許文献１】特開２０１５−８５６４７号公報
【発明の概要】
【発明が解決しようとする課題】
【０００６】
ここで、従来の番号検査装置において文字/番号は同じ判断基準を用いて検査されていた。
しかしながら、大判印刷物に有価証券の絵柄を印刷する際には、圧力をかけて印刷を行うことにより、紙尻側の絵柄が扇形に広がるファン・アウトと呼ばれる現象が発生する。そしてこのように紙尻側の絵柄に伸びが発生した大判印刷物に対し番号印刷装置により文字/番号を印刷すると、一枚の大判印刷物内であっても絵柄に伸びが生じている箇所と伸びが生じていない箇所とで、基準マークに対する文字/番号列の印刷位置にずれが生じることとなる。そのため、一枚の大判印刷物に対して基準マークに対する文字/番号の印刷位置の検査を同じ判断基準で行うと、文字/番号が正確に印刷されている（人が見て違和感を抱かないように正確に印刷されている）にもかかわらず、伸びた絵柄の上に文字/番号を印刷したことによって、紙尻側では基準マークに対する文字/番号の印刷位置が予め設定する許容範囲を超えているとして、誤って印刷ミスと判断されてしまうおそれがあった。
【０００７】
このようなことから本発明は、印刷用紙に部分的な絵柄の伸びが発生した場合であっても、文字/番号の検査を正確に行うことが可能な有価証券の文字/番号検査装置及び文字/番号検査方法を提供することを目的とする。
【課題を解決するための手段】
【０００８】
上記の課題を解決するための第１の発明に係る有価証券の文字/番号検査装置は、
複数の有価証券が印刷された印刷用紙の各有価証券内に印刷された記番号を撮像する撮像手段と、
前記撮像手段によって撮像された画像データに基づいて各有価証券内に印刷された記番号の適否を判断する文字/番号検査手段と
を備えた有価証券の文字/番号検査装置において、
前記文字/番号検査手段は、有価証券の印刷用紙上の位置に応じて設定された複数の判断基準に基づいて各有価証券内に印刷された記番号が正常に印刷されているか否かを判断する
ことを特徴とする。
【０００９】
また、上記の課題を解決するための第２の発明に係る有価証券の文字/番号検査装置は、
前記文字/番号検査手段が、各記番号の印刷品質及び記番号列の位置について正常か否かの判断を行い、
各記番号の印刷品質の判断基準は全ての有価証券で同一に設定され、
記番号列の位置の判断基準は有価証券の印刷用紙上の位置に応じて複数設定されている
ことを特徴とする。
【００１０】
また、上記の課題を解決するための第３の発明に係る有価証券の文字/番号検査方法は、
複数の有価証券が印刷された印刷用紙の各有価証券内に印刷された記番号を撮像し、撮像された画像データに基づいて各有価証券内に印刷された記番号が正常に印刷されているか否かを判断する有価証券の文字/番号検査方法において、
各有価証券内に印刷された記番号が正常に印刷されているか否かを、有価証券の印刷用紙上の位置に応じて設定された複数の判断基準に基づいて判断する
ことを特徴とする。
【００１１】
また、上記の課題を解決するための第４の発明に係る有価証券の文字/番号検査方法は、
各記番号の印刷品質の判断基準が全ての有価証券で同一に設定され、
記番号列の位置の判断基準が有価証券の印刷用紙上の位置に応じて複数設定されている
ことを特徴とする。
【発明の効果】
【００１２】
本発明に係る有価証券の文字/番号検査装置及び文字/番号検査方法によれば、印刷用紙に部分的な絵柄の伸びが発生した場合であっても、文字/番号の検査を正確に行うことができる。
【図面の簡単な説明】
【００１３】
【図１】本発明に係る有価証券の文字/番号検査装置を備える番号印刷装置をコーティング装置と組み合わせた組合せ印刷機の主な実施の形態の全体概略構成図である。
【図２】図１の要部の抽出拡大図である。
【図３】多面付印刷が施された枚葉紙の一例を示す平面図である。
【図４】有価証券の一例を示す説明図である。
【図５】番号検査カメラの配置例を示す説明図である。
【図６Ａ】本発明の実施の形態に係る印刷機制御装置の構成を示すブロック図である。
【図６Ｂ】本発明の実施の形態に係る印刷機制御装置の構成を示すブロック図である。
【図６Ｃ】本発明の実施の形態に係る印刷機制御装置の構成を示すブロック図である。
【図７Ａ】本発明の実施の形態に係る印刷機制御装置の動作を示すフローチャートである。
【図７Ｂ】本発明の実施の形態に係る印刷機制御装置の動作を示すフローチャートである。
【図７Ｃ】本発明の実施の形態に係る印刷機制御装置の動作を示すフローチャートである。
【図７Ｄ】本発明の実施の形態に係る印刷機制御装置の動作を示すフローチャートである。
【図７Ｅ】本発明の実施の形態に係る印刷機制御装置の動作を示すフローチャートである。
【図８Ａ】本発明の実施の形態に係る印刷機制御装置の動作を示すフローチャートである。
【図８Ｂ】本発明の実施の形態に係る印刷機制御装置の動作を示すフローチャートである。
【図８Ｃ】本発明の実施の形態に係る印刷機制御装置の動作を示すフローチャートである。
【図８Ｄ】本発明の実施の形態に係る印刷機制御装置の動作を示すフローチャートである。
【図９Ａ】本発明の実施の形態に係る印刷機制御装置の動作を示すフローチャートである。
【図９Ｂ】本発明の実施の形態に係る印刷機制御装置の動作を示すフローチャートである。
【図９Ｃ】本発明の実施の形態に係る印刷機制御装置の動作を示すフローチャートである。
【図９Ｄ】本発明の実施の形態に係る印刷機制御装置の動作を示すフローチャートである。
【図９Ｅ】本発明の実施の形態に係る印刷機制御装置の動作を示すフローチャートである。
【図１０Ａ】本発明の実施の形態に係る印刷機制御装置の動作を示すフローチャートである。
【図１０Ｂ】本発明の実施の形態に係る印刷機制御装置の動作を示すフローチャートである。
【図１０Ｃ】本発明の実施の形態に係る印刷機制御装置の動作を示すフローチャートである。
【図１１】文字/番号の検索範囲を示す説明図である。
【発明を実施するための形態】
【００１４】
本発明に係る有価証券の文字/番号検査装置及び文字/番号検査方法の実施の形態を図面に基づいて説明するが、本発明は、図面に基づいて説明する以下の実施の形態のみに限定されるものではない。
【００１５】
本実施の形態に係る有価証券の文字/番号検査装置を備えた番号印刷装置をコーティング装置と組み合わせた組合せ印刷機の主な実施の形態を図１〜図１１に基づいて説明する。
【００１６】
図１に示すように、被印刷物である大判印刷物（印刷用紙）１を一枚ずつ送給する給紙装置１０１のフィーダ・ボード１０２の先端側には、くわえ爪装置（図示省略）で大判印刷物１の先端をくわえ保持して搬送する渡胴１０４がスイング装置１０３を介して配設されている。この渡胴１０４には、くわえ爪装置（図示省略）で大判印刷物１の先端をくわえ保持して搬送する渡胴１０５が対接している。スイング装置１０３は、フィーダ・ボード１０２からの大判印刷物１を渡胴１０４を介して渡胴１０５へ一枚ずつ受け渡すことができるようになっている。
【００１７】
渡胴１０５には、渡胴１０４との対接箇所よりも回転方向下流側に位置して、くわえ爪装置（図示省略）で大判印刷物１の先端をくわえ保持して搬送する印章用圧胴である二倍胴の圧胴１０７が対接している。この圧胴１０７の下部には、当該圧胴１０７に保持されている大判印刷物１に印章印刷を施す単胴（一倍胴）の印章胴１０８が対接しており、当該印章胴１０８は、上記圧胴１０７に対して対接（胴入れ）離反（胴抜き）移動できるように支持されている。この印章胴１０８の下方には、当該印章胴１０８へインキを供給するインキ供給手段であるインキ装置１０９が設けられている。このような圧胴１０７、印章胴１０８、インキ装置１０９等により本実施の形態では印章印刷手段である印章印刷ユニット１０６が構成されている。
【００１８】
圧胴１０７には、印章胴１０８との対接箇所（印章印刷位置）よりも回転方向下流側に位置して、くわえ爪装置（図示省略）で大判印刷物１の先端をくわえ保持して搬送する搬送胴１１０が対接している。この搬送胴１１０には、圧胴１０７との対接箇所よりも紙搬送方向下流側に位置して、くわえ爪装置（図示省略）で大判印刷物１の先端をくわえ保持して搬送する第１の番号用圧胴である二倍胴の圧胴１１２が対接している。この圧胴１１２の下部には、当該圧胴１１２に保持されている大判印刷物１に第１の番号印刷を施す単胴（一倍胴）の第１の番号胴である第１番号胴１１３が対接しており、当該第１番号胴１１３は、上記圧胴１１２に対して対接（胴入れ）離反（胴抜き）移動できるように支持されている。この第１番号胴１１３の下方には、当該第１番号胴１１３へインキを供給するインキ供給手段であるインキ装置１１４が設けられている。このような圧胴１１２、第１番号胴１１３、インキ装置１１４等により本実施の形態では第１の番号印刷手段である第１の番号印刷ユニット１１１が構成されている。
【００１９】
圧胴１１２には、第１番号胴１１３との対接箇所（第１の番号印刷位置）よりも回転方向下流側に位置して、くわえ爪装置（図示省略）で大判印刷物１の先端をくわえ保持して搬送する搬送胴１１５が対接している。この搬送胴１１５には、圧胴１１２との対接箇所よりも紙搬送方向下流側に位置して、くわえ爪装置（図示省略）で大判印刷物１の先端をくわえ保持して搬送する第２の番号用圧胴である二倍胴の圧胴１１７が対接している。この圧胴１１７の下部には、当該圧胴１１７に保持されている大判印刷物１に第２の番号印刷を施す単胴（一倍胴）の第２の番号胴である第２番号胴１１８が対接しており、当該第２番号胴１１８は、上記圧胴１１７に対して対接（胴入れ）離反（胴抜き）移動できるように支持されている。この第２番号胴１１８の下方には、当該番号胴１１８へインキを供給するインキ供給手段であるインキ装置１１９が設けられている。このような圧胴１１７、第２番号胴１１８、インキ装置１１９等により本実施の形態では第２の番号印刷手段である第２の番号印刷ユニット１１６が構成されている。
【００２０】
圧胴１１７には、第２番号胴１１８との対接箇所（第２の番号印刷位置）よりも回転方向下流側に位置して、くわえ爪装置（図示省略）で大判印刷物１の先端をくわえ保持して搬送する搬送胴１２０が対接している。この搬送胴１２０には、圧胴１１７との対接位置よりも紙搬送方向下流側に位置して、くわえ爪装置（図示省略）で大判印刷物１の先端をくわえ保持して搬送する搬送胴１２２が対接している。この搬送胴１２２の下部には、当該搬送胴１２２の周面に対向して二つの乾燥ランプ１２３が設けられている。このような搬送胴１２２、乾燥ランプ１２３等により本実施の形態では第１の乾燥手段である第１の乾燥ユニット１２１が構成されている。
【００２１】
搬送胴１２２には、乾燥ランプ１２３の対向する位置よりも紙搬送方向下流側に位置して、くわえ爪装置（図示省略）で大判印刷物１の先端をくわえ保持して搬送する二倍胴の圧胴１２７が対接している。この圧胴１２７の上部には、当該圧胴１２７に保持されている大判印刷物１の他方面にコーティングを施す単胴（一倍胴）の他方面コーティング胴１２８が対接しており、当該他方面コーティング胴１２８は、上記圧胴１２７に対して対接（胴入れ）離反（胴抜き）移動できるように支持されている。この他方面コーティング胴１２８の上部には、当該他方面コーティング胴１２８の樹脂版の版面にニス等のコーティング液を供給するアニロックスローラ１２９及びチャンバコータ１３０が設けられている。このような圧胴１２７、他方面コーティング胴１２８、アニロックスローラ１２９、チャンバコータ１３０等により本実施の形態では他方面コーティング処理手段である他方面コーティングユニット１２６が構成されている。
【００２２】
圧胴１２７には、他方面コーティング胴１２８との対接箇所（他方面コーティング位置）よりも回転方向下流側に位置して、くわえ爪装置（図示省略）で大判印刷物１の先端をくわえ保持して搬送する搬送胴１３１が対接している。この搬送胴１３１には、圧胴１２７との対接箇所よりも紙搬送方向下流側に位置して、くわえ爪装置（図示省略）で大判印刷物１の先端をくわえ保持して搬送する搬送胴１３３が対接している。この搬送胴１３３の上部には、当該搬送胴１３３の周面に対向して二つの乾燥ランプ１３４が設けられている。このような搬送胴１３３、乾燥ランプ１３４等により第２の乾燥手段である第２の乾燥ユニット１３２が構成されている。
【００２３】
搬送胴１３３には、乾燥ランプ１３４の対向する位置よりも紙搬送方向下流側に位置して、くわえ爪装置（図示省略）で大判印刷物１の先端をくわえ保持して搬送する二倍胴の圧胴１３６が対接している。この圧胴１３６の下部には、当該圧胴１３６に保持されている大判印刷物１の一方面にコーティングを施す単胴（一倍胴）の一方面コーティング胴１３７が対接しており、当該一方面コーティング胴１３７は、上記圧胴１３６に対して対接（胴入れ）離反（胴抜き）移動できるように支持されている。この一方面コーティング胴１３７の下部には、当該一方面コーティング胴１３７の樹脂版の版面にニスを供給するアニロックスローラ１３８及びチャンバコータ１３９が設けられている。このような圧胴１３６、一方面コーティング胴１３７、アニロックスローラ１３８、チャンバコータ１３９等により一方面コーティング処理手段である一方面コーティングユニット１３５が構成されている。
【００２４】
圧胴１３６には、一方面コーティング胴１３７との対接箇所（一方面コーティング位置）よりも回転方向下流側に位置して、デリバリ胴１４１が対接している。このデリバリ胴１４１には、図示しないスプロケットが同軸をなして設けられ、爪竿を複数設けたエンドレスの搬送チェーン１４２が巻き掛けられている。搬送チェーン１４２の下方には、大判印刷物１を積載する複数の積載台（図示例では正紙用の二つの積載台１４３ａ，１４３ｂと、不良紙用の一つの積載台１４３ｃの三つ）が当該搬送チェーン１４２の走行方向に沿って設置されている。このようなデリバリ胴１４１、搬送チェーン１４２、積載台１４３ａ〜１４３ｃ等により本実施の形態ではシート排出手段である排紙装置１４０が構成されている。
【００２５】
そして、搬送チェーン１４２における上側走行チェーン部を挟んで、その上方には吸引ガイド１４４が設置される一方、下方には吸引ガイド１４４に対向して第三の乾燥手段である二つの乾燥ランプ１４５が設置されている。
【００２６】
また、図２に示すように、印章印刷ユニット１０６の、圧胴１０７と印章胴１０８との対接箇所（印章印刷位置）よりも当該圧胴１０７の回転方向下流側で当該圧胴１０７と搬送胴１１０との対接箇所よりも当該圧胴１０７の回転方向上流側となる、当該圧胴１０７と当該印章胴１０８との対接箇所（印章印刷位置）近傍の、当該圧胴１０７よりも下方位置には、当該圧胴１０７に保持されている大判印刷物１に印刷された印章を撮像する印章用検査カメラ１２４Ａが配設されている。圧胴１０７と印章胴１０８との対接箇所（印章印刷位置）近傍の当該圧胴１０７の回転方向下流側には、照明器１２５Ａが配設されており、当該照明器１２５Ａは、印章用検査カメラ１２４Ａで撮像される大判印刷物１の撮像位置に光を照射することができるように設定されている。
【００２７】
第１の番号印刷ユニット１１１の、圧胴１１２と第１番号胴１１３との対接箇所（第１の番号印刷位置）よりも当該圧胴１１２の回転方向下流側で当該圧胴１１２と搬送胴１１５との対接箇所よりも当該圧胴１１２の回転方向上流側となる、当該圧胴１１２と当該第１番号胴１１３との対接箇所（第１の番号印刷位置）近傍の、当該圧胴１１２よりも下方位置には、当該圧胴１１２に保持されている大判印刷物１に印刷された第１の番号を撮像する第１の番号用検査カメラ１２４Ｂが配設されている。圧胴１１２と第１番号胴１１３との対接箇所（第１の番号印刷位置）近傍の当該圧胴１１２の回転方向下流側には、照明器１２５Ｂが配設されており、当該照明器１２５Ｂは、第１の番号用検査カメラ１２４Ｂで撮像される大判印刷物１の撮像位置に光を照射することができるように設定されている。
【００２８】
第２の番号印刷ユニット１１６の、圧胴１１７と第２番号胴１１８との対接箇所（第２の番号印刷位置）よりも当該圧胴１１７の回転方向下流側で当該圧胴１１７と搬送胴１２０との対接箇所よりも当該圧胴１１７の回転方向上流側となる、当該圧胴１１７と当該第２番号胴１１８との対接箇所（第２の番号印刷位置）近傍の、当該圧胴１１７よりも下方位置には、当該圧胴１１７に保持されている大判印刷物１に印刷された第２の番号を撮像する第２の番号用検査カメラ１２４Ｃが配設されている。圧胴１１７と第２番号胴１１８との対接箇所（第２の番号印刷位置）近傍の当該圧胴１１７の回転方向下流側には、照明器１２５Ｃが配設されており、当該照明器１２５Ｃは、第２の番号用検査カメラ１２４Ｃで撮像される大判印刷物１の撮像位置に光を照射することができるように設定されている。
【００２９】
ここで、図３に示すように大判印刷物１には、印刷機（例えばオフセット輪転印刷機）により予め多数の有価証券の絵柄が印刷されており、これらの各絵柄の上に、印章印刷ユニット１０６，第１の番号印刷ユニット１１１，及び第２番号印刷ユニット１１６により、印章及び第１，第２の番号が印刷されるものとする。図３に示す例では、絵柄の上に文字/番号が印刷された小切れ１ａが、縦方向（進行方向に沿う方向）に６行、横方向（進行方向に直角な方向）に５列印刷されている。
【００３０】
また、文字/番号列及び基準マークの一例を図４に示す。図４中、１ｂが文字/番号列、１ｃが基準マークである。
【００３１】
図５に示すように、第１，第２の番号用検査カメラ１２４Ｂ，１２４Ｃはそれぞれ圧胴１１２，１１７の軸方向に沿って小切れ１ａの列方向の数に対応して複数台（図５に示す例では５台）配置されている。これら第１，第２の番号用検査カメラ１２４Ｂ，１２４Ｃによって取得した画像のデータは、それぞれ文字/番号検査装置１０に送られる。
【００３２】
図６Ａから図６Ｃに示すように、文字/番号検査装置１０は、ＣＰＵ１１と、ＲＯＭ１２と、ＲＡＭ１３と、各入出力装置１４〜１７とがＢＵＳ線で接続されて構成されている。
【００３３】
ＢＵＳ線には、印刷枚数カウント値Ｐ記憶用メモリＭ１１、カウント値Ｋ記憶用メモリＭ１２、文字/番号列記憶用メモリＭ１３、Ｐ枚目のＫ行目の文字/番号列記憶用メモリＭ１４、撮像位置記憶用メモリＭ１５、番号印刷機の回転位相検出用カウンタのカウント値記憶用メモリＭ１６が接続されている。
【００３４】
また、ＢＵＳ線には、カウント値Ｙ記憶用メモリＭ１７、カウント値Ｘ記憶用メモリＭ１８、撮像データ記憶用メモリＭ１９、カメラの左右方向の画素数記憶用メモリＭ２０、カメラの天地方向の画素数記憶用メモリＭ２１、カウント値Ｎ記憶用メモリＭ２２、カウント値Ｍ記憶用メモリＭ２３、基準マークの画素データ記憶用メモリＭ２４、基準マークの左右方向の画素数記憶用メモリＭ２５が接続されている。
【００３５】
また、ＢＵＳ線には、基準マークの天地方向の画素数記憶用メモリＭ２６、基準マークの測定位置記憶用メモリＭ２７、基準マークから文字/番号検索開始位置までの距離記憶用メモリＭ２８、文字/番号全体の検索開始位置記憶用メモリＭ２９、文字/番号全体の検索サイズ記憶用メモリＭ３０、文字/番号全体の検索終了位置記憶用メモリＭ３１、二値化の為のしきい値記憶用メモリＭ３２、二値化された画像データ記憶用メモリＭ３３、カウント値Ｌ記憶用メモリＭ３４が接続されている。
【００３６】
また、ＢＵＳ線には、Ｌ番目の文字/番号記憶用メモリＭ３５、基準文字/番号記憶用メモリＭ３６、基準文字/番号の画素データ記憶用メモリＭ３７、各文字/番号の検索開始位置記憶用メモリＭ３８、各文字/番号のＮＧ画素数記憶用メモリＭ３９、基準文字/番号の左右方向の画素数記憶用メモリＭ４０、基準文字/番号の天地方向の画素数記憶用メモリＭ４１、類似率記憶用メモリＭ４２、各文字/番号の検索範囲の左右方向の画素数記憶用メモリＭ４３が接続されている。
【００３７】
また、ＢＵＳ線には、各文字/番号の検索範囲の天地方向の画素数記憶用メモリＭ４４、類似率の最小値記憶用メモリＭ４５、各文字/番号の類似率の許容値記憶用メモリＭ４６、最初の文字/番号の基準位置記憶用メモリＭ４７、位置の差記憶用メモリＭ４８、位置の差の絶対値記憶用メモリＭ４９、位置の許容値記憶用メモリＭ５０、各小切れの文字/番号の桁数記憶用メモリＭ５１、大判印刷物中の小切れの行数記憶用メモリＭ５２が接続されている。
【００３８】
さらに、入出力装置１４には、キーボードや各種スイッチ及びボタン等の入力装置１８、ＣＲＴやランプ等の表示器１９、及び、フロッピー（登録商標）・ディスクドライブやプリンタ等の出力装置２０が接続されている。
【００３９】
また、入出力装置１５，１６には、カメラ１２４（第１の番号用検査カメラ１２４Ｂ，第２の番号用検査カメラ１２４Ｃ）が接続されている。カメラ１２４（第１の番号用検査カメラ１２４Ｂ，第２の番号用検査カメラ１２４Ｃ）には、入出力装置１６から撮像指令及び画像データ送信指令が入力され、カメラ１２４（第１の番号用検査カメラ１２４Ｂ，第２の番号用検査カメラ１２４Ｃ）で撮像した撮像データは入出力装置１５へ出力される。
【００４０】
また、入出力装置１７には、番号印刷機の回転位相検出用カウンタ２１が接続され、この番号印刷機の回転位相検出用カウンタ２１が番号印刷機駆動モータ用ロータリ・エンコーダ２２に接続されている。ここで、番号印刷機駆動モータ用ロータリ・エンコーダ２２は、例えば図示しない番号印刷機駆動モータの出力軸の後端部分に直接取り付けられ、印刷ユニット１０６，１１１，１１６が１枚の大判印刷物１に印刷する毎に１回転し、１回転する毎にゼロ・パルスを１回出力して番号印刷機の回転位相検出用カウンタ２１をリセットすると共に、番号印刷機駆動モータが所定角度回転する毎に、番号印刷機の回転位相検出用カウンタ２１にクロック・パルスを出力するようになっている。
【００４１】
以下、図７Ａ〜図７Ｅ，図８Ａ〜図８Ｄ，図９Ａ〜図９Ｅ，図１０Ａ〜図１０Ｃに示す動作フローにしたがって、図４に示す文字/番号列１ｂ及び基準マーク１ｃを一例として上述した文字/番号検査装置１０による処理の詳細を説明する。なお、図１１は文字/番号の検索範囲を示す説明図であり、図中、Ａは文字/番号全体の検索範囲、Ａ１，Ａ２，Ａ３，…，ＡＮLは第１，第２，第３，…，第ＮLの検索範囲、Ｐａは基準文字/番号の左右方向の画素数、Ｐｂは基準文字/番号の天地方向の画素数を示す。
【００４２】
なお、図７Ａ〜図７Ｅ，図８Ａ〜図８Ｄ，図９Ａ〜図９Ｅ，図１０Ａ〜図１０Ｃに示す動作フローは、複数ある第１の番号用検査カメラ１２４Ｂ及び第２の番号用検査カメラ１２４Ｃのうちの一台のカメラ１２４から取得した画像に基づいて、大判印刷物１内の一列分の小切れ１ａの検査を行う例であり、他の第１の番号用検査カメラ１２４Ｂ及び第２の番号用検査カメラ１２４Ｃによって取得した画像に基づいて行う処理についても同様の処理を行うものとする。また、以下の説明では、基準マーク１ｃに対して文字/番号列１ｂ側を正として説明する。
【００４３】
文字/番号検査装置１０では、まず、ステップＳ１で印刷枚数カウント値Ｐ記憶用メモリＭ１１に１を上書きし、ステップＳ２でカウント値Ｋ記憶用メモリＭ１２に１を上書きし、ステップＳ３で文字/番号列記憶用メモリＭ１３のＰ枚目のＫ行目のアドレス位置よりＰ枚目のＫ行目の文字/番号列１ｂを読込んでメモリＭ１４に記憶する。
【００４４】
すなわち、ステップＳ１〜ステップＳ３では、第１の工程として、１枚目（Ｐ＝１）の大判印刷物の最初の行（Ｋ＝１）の小切れ１ａに応じた文字/番号列１ｂを読み出し、これを記憶する。
【００４５】
ステップＳ３に続いては、ステップＳ４で撮像位置記憶用メモリＭ１５のＫ行目のアドレス位置よりＫ行目の小切れ１ａの撮像位置を読込み、ステップＳ５で番号印刷機の回転位相検出用カウンタ２１よりカウント値を読込んでメモリＭ１６に記憶し、ステップＳ６で番号印刷機の回転位相検出用カウンタ２１のカウント値がＫ行目の小切れ１ａの撮像位置でなければ（NO）、ステップＳ５に戻り、番号印刷機の回転位相検出用カウンタ２１のカウント値がＫ行目の小切れ１ａの撮像位置となったら（YES）、ステップＳ７でカメラ１２４に入出力装置１６を介して撮像指令を出力する。
【００４６】
ステップＳ７に続いては、ステップＳ８で入出力装置１６を介してカメラ１２４に画像データ送信指令を出力し、ステップＳ９で入出力装置１５へカメラ１２４から撮像データが出力されていなければ（NO）、当該ステップＳ９の処理を繰り返し、入出力装置１５へカメラ１２４から撮像データが出力されたら（YES）、ステップＳ１０に移行する。
【００４７】
ステップＳ１０では、カウント値Ｙ記憶用メモリＭ１７に１を上書きし、ステップＳ１１でカウント値Ｘ記憶用メモリＭ１８に１を上書きし、ステップＳ１２でカメラ１２４から画素データを読み込んでこれを撮像データ記憶用メモリＭ１９の（Ｘ、Ｙ）のアドレス位置に記憶する。
【００４８】
続いて、ステップＳ１３でカウント値Ｘに１を加算しカウント値Ｘ記憶用メモリＭ１８に上書きし、ステップＳ１４でカメラ１２４の左右方向の画素数をメモリ２０から読込む。
【００４９】
続いて、ステップＳ１５でカウント値Ｘがカメラ１２４の左右方向の画素数以下であれば（NO）、ステップＳ１２に戻り、カウント値Ｘがカメラ１２４の左右方向の画素数より大きくなったら（YES）、ステップＳ１６でカウント値Ｙに１を加算してカウント値Ｙ記憶用メモリＭ１７に上書きする。
【００５０】
ステップＳ１６に続いては、ステップＳ１７でメモリＭ２１からカメラ１２４の天地方向の画素数を読込み、ステップＳ１８でカウント値Ｙがカメラ１２４の天地方向の画素数以下であれば（NO）、ステップＳ１１に戻り、カウント値Ｙがカメラ１２４の天地方向の画素数より大きくなったら（YES）、ステップＳ１９に移行する。
【００５１】
すなわち、ステップＳ４〜ステップＳ１８では、第２の工程として、印刷機の回転位相に応じて、最初の行（Ｋ＝１）の小切れ１ａを撮像し、撮像した画像を記憶する。
【００５２】
ステップＳ１９ではカウント値Ｙ記憶用メモリＭ１７に１を上書きし、ステップＳ２０でカウント値Ｘ記憶用メモリＭ１８に１を上書きし、ステップＳ２１でカウント値Ｎ記憶用メモリＭ２２に１を上書きし、ステップＳ２２でカウント値Ｍ記憶用メモリＭ２３に１を上書きする。
【００５３】
続いて、ステップＳ２３で撮像データ記憶用メモリＭ１９の（Ｘ＋Ｍ−１、Ｙ＋Ｎ−１）のアドレス位置の画素データを読込み、ステップＳ２４で基準マークの画素データ記憶用メモリＭ２４の（Ｍ、Ｎ）のアドレス位置の基準マーク１ｃの画素データを読込む。
【００５４】
続いて、ステップＳ２５で（Ｘ＋Ｍ−１、Ｙ＋Ｎー１）のアドレス位置の画素データが（Ｍ、Ｎ）のアドレス位置の基準マーク１ｃの画素データと等しければ（YES）、ステップＳ２６に移行する。一方、（Ｘ＋Ｍ−１、Ｙ＋Ｎー１）のアドレス位置の画素データが（Ｍ、Ｎ）のアドレス位置の基準マーク１ｃの画素データと異なる場合（NO）は後述するステップＳ１２９に移行する。
【００５５】
ステップＳ２６ではカウント値Ｍに１を加算してカウント値Ｍ記憶用メモリＭ２３に上書きし、続いて、ステップＳ２７でメモリ２５から基準マーク１ｃの左右方向の画素数を読込む。
【００５６】
続いて、ステップＳ２８でカウント値Ｍが基準マーク１ｃの左右方向の画素数以下であれば（NO）、ステップＳ２３に戻り、カウント値Ｍが基準マーク１ｃの左右方向の画素数より大きくなったら（YES）、ステップＳ２９でカウント値Ｎに１を加算してカウント値Ｎ記憶用メモリＭ２２に上書きする。
【００５７】
ステップＳ２９に続いては、ステップＳ３０でメモリＭ２６から基準マーク１ｃの天地方向の画素数を読込み、ステップＳ３１でカウント値Ｎが基準マーク１ｃの天地方向の画素数以下であれば（NO）、ステップＳ２２に戻り、カウント値Ｎが基準マーク１ｃの天地方向の画素数より大きくなったら（YES）、ステップＳ３２でメモリＭ１８からカウント値Ｘを読込む。
【００５８】
ステップＳ３２に続いては、ステップＳ３３でカウント値Ｘを、基準マーク１ｃのＸ方向の測定位置として基準マークの測定位置記憶用メモリＭ２７のＸ方向のアドレス位置に記憶し、ステップＳ３４でメモリＭ１７からカウント値Ｙを読込み、ステップＳ３５でカウント値Ｙを、基準マーク１ｃのＹ方向の測定位置として基準マークの測定位置記憶用メモリＭ２７のＹ方向のアドレス位置に記憶して、後述するステップＳ３６以降の処理を行う。
【００５９】
なお、上述したステップＳ２５からステップＳ１２９に移行した場合は、ステップＳ１２９でカウント値Ｘに１を加算してカウント値Ｘ記憶用メモリＭ１８に上書きし、ステップＳ１３０でメモリＭ２０からカメラ１２４の左右方向の画素数を読込み、ステップＳ１３１でメモリＭ２５から基準マーク１ｃの左右方向の画素数を読込む。
【００６０】
続いて、ステップＳ１３２でカウント値Ｘが（カメラの左右方向の画素数−基準マークの左右方向の画素数）以下であれば（NO）、ステップＳ２１に戻り、カウント値Ｘが（カメラの左右方向の画素数−基準マークの左右方向の画素数）より大きくなったら（YES）、ステップＳ１３３でカウント値Ｙに１を加算してカウント値Ｙ記憶用メモリＭ１７に上書きする。
【００６１】
続いて、ステップＳ１３４でメモリＭ２１からカメラ１２４の天地方向の画素数を読込み、ステップＳ１３５でメモリＭ２６から基準マーク１ｃの天地方向の画素数を読込む。続いて、ステップＳ１３６でカウント値Ｙが（カメラの天地方向の画素数−基準マークの天地方向の画素数）以下であれば（NO）、ステップＳ２０に戻り、カウント値Ｙが（カメラの天地方向の画素数−基準マークの天地方向の画素数）より大きくなったら（YES）、図１０Ｂに示すステップＳ１３８に移行して表示器１９にエラーを表示する。
【００６２】
すなわち、ステップＳ１９〜ステップＳ３５及びステップＳ１２９〜ステップＳ１３６では、第３の工程として、上述した第２の工程で取得した画像データから、パターン・マッチングを用いて基準マーク１ｃを求め、その位置を記憶する。また、基準マーク１ｃが検出できない場合はエラーを表示する。
【００６３】
ステップＳ３５からステップＳ３６に移行したら、ステップＳ３６で基準マークの測定位置記憶用メモリＭ２７のＸ方向のアドレス位置より基準マーク１ｃのＸ方向の測定位置を読込み、ステップＳ３７で基準マークから文字/番号検索開始位置までの距離記憶用メモリＭ２８のＸ方向のアドレス位置より基準マーク１ｃから文字/番号検索開始位置までのＸ方向の距離を読込む。
【００６４】
続いて、ステップＳ３８で基準マーク１ｃのＸ方向の測定位置に基準マーク１ｃから文字/番号検索開始位置までのＸ方向の距離を加算し、文字/番号全体の検索開始位置のＸ方向の位置を演算するとともに文字/番号全体の検索開始位置記憶用メモリＭ２９のＸ方向のアドレス位置に記憶する。
【００６５】
続いて、ステップＳ３９で文字/番号全体の検索サイズ記憶用メモリＭ３０のＸ方向のアドレス位置より文字/番号全体の検索範囲（図１１に示すＡ参照）の左右方向の長さを読込み、ステップＳ４０で文字/番号全体の検索開始位置のＸ方向の位置に文字/番号全体の検索範囲の左右方向の長さを加算し、文字/番号全体の検索終了位置のＸ方向の位置を演算するとともに文字/番号全体の検索終了位置記憶用メモリＭ３１のＸ方向のアドレス位置に記憶する。
【００６６】
続いて、ステップＳ４１で基準マークの測定位置記憶用メモリＭ２７のＹ方向のアドレス位置より基準マーク１ｃのＹ方向の測定位置を読込み、ステップＳ４２で基準マークから文字/番号検索開始位置までの距離記憶用メモリＭ２８のＹ方向のアドレス位置より基準マーク１ｃから文字/番号検索開始位置までのＹ方向の距離を読込む。
【００６７】
続いて、ステップＳ４３で基準マーク１ｃのＹ方向の測定位置に基準マーク１ｃから文字/番号検索開始位置までのＹ方向の距離を加算し、文字/番号全体の検索開始位置のＹ方向の位置を演算するとともに文字/番号全体の検索開始位置記憶用メモリＭ２９のＹ方向のアドレス位置に記憶する。
【００６８】
続いて、ステップＳ４４で文字/番号全体の検索サイズ記憶用メモリＭ３０のＹ方向のアドレス位置より文字/番号全体の検索範囲の天地方向の長さを読込み、ステップＳ４５で文字/番号全体の検索開始位置のＹ方向の位置に文字/番号全体の検索範囲の天地方向の長さを加算し、文字/番号全体の検索終了位置のＹ方向の位置を演算するとともに文字/番号全体の検索終了位置記憶用メモリＭ３１のＹ方向のアドレス位置に記憶する。
【００６９】
すなわち、ステップＳ３６〜ステップＳ４５では、第４の工程として、上述した第３の工程で求めた基準マーク１ｃの位置より、文字/番号列１ｂがあると予想される範囲を求める。
【００７０】
ステップＳ４５に続いては、ステップＳ４６でカウント値Ｙ記憶用メモリＭ１７に文字/番号全体の検索開始位置のＹ方向の位置を上書きし、ステップＳ４７でカウント値Ｘ記憶用メモリＭ１８に文字/番号全体の検索開始位置のＸ方向の位置を上書きし、ステップＳ４８でカウント値Ｎ記憶用メモリＭ２２に１を上書きし、ステップＳ４９でカウント値Ｍ記憶用メモリＭ２３に１を上書きする。
【００７１】
続いて、ステップＳ５０で撮像データ記憶用メモリＭ１９の（Ｘ、Ｙ）のアドレス位置よりアドレス（Ｘ，Ｙ）の画素データを読込み、ステップＳ５１でメモリＭ３２から二値化の為のしきい値を読込む。
【００７２】
続いて、ステップＳ５２でアドレス（Ｘ、Ｙ）の画素データが二値化の為のしきい値以上であれば（YES）、ステップＳ５３で二値化された画像データ記憶用メモリＭ３３の（Ｍ、Ｎ）のアドレス位置に「１」を上書きする。一方、アドレス（Ｘ、Ｙ）の画素データが二値化の為のしきい値未満であれば（NO）、ステップＳ１３７に移行して二値化された画像データ記憶用メモリＭ３３の（Ｍ、Ｎ）のアドレス位置に「０」を上書きして、後述するステップＳ５４に移行する。
【００７３】
ステップＳ５４では、カウント値Ｍに１を加算してカウント値Ｍ記憶用メモリＭ２３に上書きし、続いて、ステップＳ５５でカウント値Ｘに１を加算してカウント値Ｘ記憶用メモリＭ１８に上書きし、ステップＳ５６でメモリＭ３１から文字/番号全体の検索終了位置のＸ方向の位置を読込む。
【００７４】
続いて、ステップＳ５７でカウント値Ｘが文字/番号全体の検索終了位置のＸ方向の位置以下であれば（NO）、ステップＳ４８に戻り、カウント値Ｘが文字/番号全体の検索終了位置のＸ方向の位置より大きくなったら（YES）、ステップＳ５８でカウント値Ｎに１を加算してカウント値Ｎ記憶用メモリＭ２２に上書きする。
【００７５】
ステップＳ５８に続いては、ステップＳ５９でカウント値Ｙに１を加算してカウント値Ｙ記憶用メモリＭ１７に上書きし、ステップＳ６０でメモリＭ３１から文字/番号全体の検索終了位置のＹ方向の位置を読込む。続いて、ステップＳ６１でカウント値Ｙが文字/番号全体の検索終了位置のＹ方向の位置以下であれば（NO）、ステップＳ４７に戻り、カウント値Ｙが文字/番号全体の検索終了位置のＹ方向の位置より大きくなったら（YES）、ステップＳ６２以降の処理を行う。
【００７６】
すなわち、ステップＳ４６〜ステップＳ６１及びステップＳ１３７では、第５の工程として、上述した第４の工程で求めた文字/番号列１ｂがあると予想される範囲の画像データを二値化する。
【００７７】
ステップＳ６２では、カウント値Ｌ記憶用メモリＭ３４に１を上書きし、続いてステップＳ６３でＰ枚目のＫ行目の文字/番号列記憶用メモリＭ１４のＬ番目のアドレス位置よりＬ番目の文字/番号を読込んでメモリＭ３５に記憶し、ステップＳ６４で基準文字/番号記憶用メモリＭ３６よりＬ番目の文字/番号に対応する文字/番号の二値化データを読込み、基準文字/番号の画素データ記憶用メモリＭ３７に記憶する。
【００７８】
すなわち、ステップＳ６２〜ステップＳ６４では、第６の工程として、上述した第１の工程で記憶した文字/番号列１ｂより、最初（Ｌ＝１）の文字/番号を求め、対応する二値化された画素データを基準画像として記憶する。
【００７９】
ステップＳ６４に続いては、ステップＳ６５でカウント値Ｙ記憶用メモリＭ１７に１を上書きし、ステップＳ６６で各文字/番号の検索開始位置記憶用メモリＭ３８のＬ番目のアドレス位置よりＬ番目の文字/番号のＸ方向の検索開始位置を読込み、ステップＳ６７でカウント値Ｘ記憶用メモリＭ１８にＬ番目の文字/番号のＸ方向の検索開始位置を上書きする。
【００８０】
続いて、ステップＳ６８で各文字/番号のＮＧ画素数記憶用メモリＭ３９に０を上書きし、ステップＳ６９でカウント値Ｎ記憶用メモリＭ２２に１を上書きし、ステップＳ７０でカウント値Ｍ記憶用メモリＭ２３に１を上書きする。
【００８１】
続いて、ステップＳ７１で二値化された画像データ記憶用メモリＭ３３の（Ｘ＋Ｍ−１、Ｙ＋Ｎ−１）のアドレス位置の画素データを読込み、ステップＳ７２で基準文字/番号の画素データ記憶用メモリＭ３７の（Ｍ、Ｎ）のアドレス位置の画素データを読込む。
【００８２】
続いて、ステップＳ７３で（Ｘ＋Ｍ−１、Ｙ＋Ｎー１）のアドレス位置の二値化された画素データが（Ｍ、Ｎ）のアドレス位置の基準文字/番号の画素データと一致しなければ（NO）、ステップＳ７４で各文字/番号のＮＧ画素数に１を加算してＮＧ画素数記憶用メモリＭ３９に上書きして、ステップＳ７５に移行する。一方、（Ｘ＋Ｍ−１、Ｙ＋Ｎー１）のアドレス位置の二値化された画素データが（Ｍ、Ｎ）のアドレス位置の基準文字/番号の画素データと一致すれば（YES）、後述するステップＳ７５に移行する。
【００８３】
ステップＳ７５では、カウント値Ｍに１を加算し、カウント値Ｍ記憶用メモリＭ２３に上書きし、続いて、ステップＳ７６でメモリＭ４０から基準文字/番号の左右方向の画素数（例えば、図１１に示すＰａ参照）を読込む。
【００８４】
続いて、ステップＳ７７でカウント値Ｍが基準文字/番号の左右方向の画素数以下であれば（NO）、ステップＳ７１に戻り、カウント値Ｍが基準文字/番号の左右方向の画素数より大きくなったら（YES）、ステップＳ７８でカウント値Ｎに１を加算してカウント値Ｎ記憶用メモリＭ２２に上書きする。
【００８５】
ステップＳ７８に続いては、ステップＳ７９でメモリＭ４１から基準文字/番号の天地方向の画素数（例えば、図１１に示すＰｂ参照）を読込み、ステップＳ８０でカウント値Ｎが基準文字/番号の天地方向の画素数以下であれば（NO）、ステップＳ７０に戻り、カウント値Ｎが基準文字/番号の天地方向の画素数より大きくなったら（YES）、ステップＳ８１でメモリＭ３９から各文字/番号のＮＧ画素数を読込む。
【００８６】
続いて、ステップＳ８２でメモリＭ４０から基準文字/番号の左右方向の画素数を読込み、ステップＳ８３でメモリＭ４１から基準文字/番号の天地方向の画素数を読込む。
【００８７】
ステップＳ８３に続いては、ステップＳ８４で各文字/番号のＮＧ画素数を『（基準文字/番号の左右方向の画素数）×（基準文字/番号の天地方向の画素数）』で除算し、類似率を演算するとともに類似率記憶用メモリＭ４２の（Ｘ、Ｙ）のアドレス位置に記憶し、ステップＳ８５でカウント値Ｘに１を加算してカウント値Ｘ記憶用メモリＭ１８に上書きし、ステップＳ８６でメモリＭ４３から各文字/番号の検索範囲（図１１に示すＡ１〜ＡＮL参照）の左右方向の画素数を読込む。
【００８８】
続いて、ステップＳ８７でメモリＭ４０から基準文字/番号の左右方向の画素数を読込み、ステップＳ８８でカウント値Ｘが（各文字/番号の検索範囲の左右方向の画素数−基準文字/番号の左右方向の画素数＋１）以下であれば（NO）、ステップＳ６９に戻り、カウント値Ｘが（各文字/番号の検索範囲の左右方向の画素数−基準文字/番号の左右方向の画素数＋１）より大きくなったら（YES）、ステップＳ８９でカウント値Ｙに１を加算してカウント値Ｙ記憶用メモリＭ１７に上書きする。
【００８９】
続いて、ステップＳ９０でメモリＭ４４から各文字/番号の検索範囲の天地方向の画素数を読込み、ステップＳ９１でメモリＭ４１から基準文字/番号の天地方向の画素数を読込む。
【００９０】
続いて、ステップＳ９２でカウント値Ｙが（各文字/番号の検索範囲の天地方向の画素数−基準文字/番号の天地方向の画素数＋１）以下であれば（NO）、ステップＳ６６に戻り、カウント値Ｙが（各文字/番号の検索範囲の天地方向の画素数−基準文字/番号の天地方向の画素数＋１）より大きくなったら（YES）、ステップＳ９３に移行する。
【００９１】
すなわち、ステップＳ６５〜ステップＳ９２では、第７の工程として、パターン・マッチングを用いて、上述した第５の工程で二値化された画像データ内の最初（Ｌ＝１）の文字/番号があると予想される範囲（Ａ１）内の各位置の、上述した第６の工程で記憶した基準画像に対する類似率（異なる画素率）を求める。
つまり、図１１に示すように、最初の文字/番号があると予想される検索範囲Ａ１内について、基準画像に対応する領域（左右方向の画素数がＰａ、天地方向の画素数がＰｂの領域）をＸ方向、Ｙ方向にずらしながら基準画像とのマッチングを行い、各位置ごとに基準画像との類似率（異なる画素率）を求める。
【００９２】
ステップＳ９３では各文字/番号の検索開始位置記憶用メモリＭ３８のＬ番目のアドレス位置よりＬ番目の文字/番号のＸ方向の検索開始位置を読込み、続いてステップＳ９４で類似率記憶用メモリＭ４２の（Ｌ番目の文字/番号のＸ方向の検索開始位置、１）のアドレス位置から（Ｌ番目の文字/番号のＸ方向の検索開始位置、１）位置の類似率を読込むとともに類似率の最小値記憶用メモリＭ４５に（Ｌ番目の文字/番号のＸ方向の検索開始位置、１）位置の類似率及び位置（Ｌ番目の文字/番号のＸ方向の検索開始位置、１）を上書きする。
【００９３】
続いて、ステップＳ９５でカウント値Ｙ記憶用メモリＭ１７に１を上書きし、ステップＳ９６で各文字/番号の検索開始位置記憶用メモリＭ３８のＬ番目のアドレス位置よりＬ番目の文字/番号のＸ方向の検索開始位置を読込み、ステップＳ９７でカウント値Ｘ記憶用メモリＭ１８にＬ番目の文字/番号のＸ方向の検索開始位置を上書きする。
【００９４】
続いて、ステップＳ９８でメモリＭ４５から類似率の最小値を読込み、ステップＳ９９で類似率記憶用メモリＭ４２の（Ｘ、Ｙ）のアドレス位置より（Ｘ、Ｙ）位置の類似率を読込む。
【００９５】
続いて、ステップＳ１００で類似率の最小値が（Ｘ、Ｙ）位置の類似率より大きければ（YES）、ステップＳ１０１で（Ｘ、Ｙ）位置の類似率及び位置のアドレス（Ｘ、Ｙ）を類似率の最小値記憶用メモリＭ４５に上書きし、ステップＳ１０２に移行する。一方、類似率の最小値が（Ｘ、Ｙ）位置の類似率以下であれば（NO）、後述するステップＳ１０２に移行する。
【００９６】
ステップＳ１０２では、カウント値Ｘに１を加算してカウント値Ｘ記憶用メモリＭ１８に上書きし、続いて、ステップＳ１０３でメモリＭ４３から各文字/番号の検索範囲の左右方向の画素数を読込み、ステップＳ１０４でメモリＭ４０から基準文字/番号の左右方向の画素数を読込む。
【００９７】
続いて、ステップＳ１０５でカウント値Ｘが（各文字/番号の検索範囲の左右方向の画素数−基準文字/番号の左右方向の画素数＋１）以下であれば（NO）、ステップＳ９８に戻り、カウント値Ｘが（各文字/番号の検索範囲の左右方向の画素数−基準文字/番号の左右方向の画素数＋１）より大きくなったら（YES）、ステップＳ１０６でカウント値Ｙに１を加算してカウント値Ｙ記憶用メモリＭ１７に上書きする。
【００９８】
ステップＳ１０６に続いては、ステップＳ１０７でメモリＭ４４から各文字/番号の検索範囲の天地方向の画素数を読込み、ステップＳ１０８でメモリＭ４１から基準文字/番号の天地方向の画素数を読込む。
【００９９】
続いて、ステップＳ１０９でカウント値Ｙが（各文字/番号の検索範囲の天地方向の画素数−基準文字/番号の天地方向の画素数＋１）以下であれば（NO）、ステップＳ９６に戻り、カウント値Ｙが（各文字/番号の検索範囲の天地方向の画素数−基準文字/番号の天地方向の画素数＋１）より大きくなったら（YES）、ステップＳ１１０に移行する。
【０１００】
すなわち、ステップＳ９３〜ステップＳ１０９では、第８の工程として、上述した第７の工程で求めた最初（Ｌ＝１）の文字/番号があると予想される範囲Ａ１内の検索範囲の各位置における基準画像との類似率（異なる画素率）の最小値とその位置を求める。
つまり、最初の文字/番号があると予想される範囲Ａ１内において、基準画像との類似率（異なる画素率）が最も小さい検索領域の位置を、最初の文字/番号の位置として求める。
【０１０１】
ステップＳ１１０ではメモリＭ４５から類似率の最小値を読込み、続いてステップＳ１１１でメモリＭ４６から各文字/番号の類似率の判断基準となる許容値を読込み、ステップＳ１１２で類似率の最小値が各文字/番号の類似率の許容値以下であれば（YES）、ステップＳ１１３以降の処理を行う。一方、類似率の最小値が各文字/番号の類似率の許容値より大きければ（NO）、図１０Ｂに示すステップＳ１３８に移行して表示器１９にエラーを表示する。
【０１０２】
ここで、本実施の形態において各文字/番号の類似率の許容値記憶用メモリＭ４６には、各文字/番号の類似率の許容値として全ての行の小切れ１ａについて共通の値が記憶されているものとする。
【０１０３】
すなわち、上述したステップＳ１１０〜ステップＳ１１２では、第９の工程として、上述した第８の工程で求めた最小の類似率と各文字/番号共通の許容値を比較する。最小の類似率が各文字/番号共通の許容値より大きい場合には、エラー表示する。
【０１０４】
ステップＳ１１３ではカウント値Ｌが１であれば（YES）、ステップＳ１１４で類似率の最小値記憶用メモリＭ４５のＸ方向のアドレス位置よりアドレスＸを読込む。一方、カウント値Ｌが１以外であれば（NO）、後述するステップＳ１３９に移行する。
【０１０５】
ステップＳ１１４に続いては、ステップＳ１１５で最初の文字/番号の基準位置記憶用メモリＭ４７のＸ方向のアドレス位置よりＸ方向の基準位置を読込み、ステップＳ１１６でアドレスＸからＸ方向の基準位置を減算し、Ｘ方向の位置の差を演算するとともに位置の差記憶用メモリＭ４８のＸ方向のアドレス位置に記憶し、ステップＳ１１７でＸ方向の位置の差の絶対値を演算するとともに位置の差の絶対値記憶用メモリＭ４９のＸ方向のアドレス位置に記憶する。
【０１０６】
ステップＳ１１７に続いては、ステップＳ１１８でメモリＭ１２からカウント値Ｋを読込み、ステップＳ１１９で位置の許容値記憶用メモリＭ５０のＫ行目のＸ方向のアドレス位置よりＫ行目の小切れ１ａのＸ方向の判断基準となる許容値を読込む。
【０１０７】
ここで、本実施の形態において位置の許容値記憶用メモリＭ５０には、大判印刷物１の紙尻側の絵柄の伸びを考慮して各行（カウント値Ｋ）ごとに小切れ１ａのＸ方向の位置の許容値が記憶されているものとする。具体的には、くわえ側の小切れ１ａの基準マーク１ｃに対する文字/番号のＸ方向の位置の許容値に対して、紙尻側の小切れ１ａの基準マーク１ｃに対する文字/番号のＸ方向の位置の許容値が大きくなっているものとする。
【０１０８】
続いて、ステップＳ１２０でＸ方向の位置の差の絶対値がＫ行目の小切れ１ａのＸ方向の許容値以下であれば（NO）、ステップＳ１２１で類似率の最小値記憶用メモリＭ４５のＹ方向のアドレス位置よりアドレスＹを読込む。一方、Ｘ方向の位置の差の絶対値がＫ行目の小切れ１ａのＸ方向の許容値より大きければ（YES）、図１０Ｂに示すステップＳ１３８に移行して表示器１９にエラーを表示する。
【０１０９】
ステップＳ１２１に続いては、ステップＳ１２２で最初の文字/番号の基準位置記憶用メモリＭ４７のＹ方向のアドレス位置よりＹ方向の基準位置を読込み、ステップＳ１２３でアドレスＹからＹ方向の基準位置を減算し、Ｙ方向の位置の差を演算するとともに位置の差記憶用メモリＭ４８のＹ方向のアドレス位置に記憶する。
【０１１０】
続いて、ステップＳ１２４でＹ方向の位置の差の絶対値を演算するとともに位置の差の絶対値記憶用メモリＭ４９のＹ方向のアドレス位置に記憶し、ステップＳ１２５でメモリＭ１２からカウント値Ｋを読込む。
【０１１１】
続いて、ステップＳ１２６で位置の許容値記憶用メモリＭ５０のＫ行目のＹ方向のアドレス位置よりＫ行目の小切れ１ａのＹ方向の判断基準となる許容値を読込む。
【０１１２】
ここで、本実施の形態において位置の許容値記憶用メモリＭ５０には、大判印刷物１の紙尻側の絵柄の伸びを考慮して各行（カウント値Ｋ）ごとに小切れ１ａのＹ方向の位置の許容値が記憶されているものとする。具体的には、くわえ側の小切れ１ａの基準マーク１ｃに対する文字/番号のＹ方向の位置の許容値に対して、紙尻側の小切れ１ａの基準マーク１ｃに対する文字/番号のＹ方向の位置の許容値が大きくなっているものとする。
【０１１３】
続いて、ステップＳ１２７でＹ方向の位置の差の絶対値がＫ行目の小切れ１ａのＹ方向の許容値以下であれば（NO）、ステップＳ１２８に移行する。一方、Ｙ方向の位置の差の絶対値がＫ行目の小切れ１ａのＹ方向の許容値より大きければ（YES）、図１０Ｂに示すステップＳ１３８に移行して表示器１９にエラーを表示する。
【０１１４】
すなわち、ステップＳ１１３〜ステップＳ１２７，ステップＳ１３８では、第１０の工程として、上述した第９の工程で求めた最初の文字/番号の基準画像に対する類似率が最小の位置と、予め設定された基準マークの位置に対する基準位置との差（以下単に、基準位置との差という）を求め、求めた基準位置との差と小切れ１ａの行数毎に設定された判断基準である位置の許容値とを比較する。基準位置との差が位置の許容値より大きい場合には、エラー表示する。
【０１１５】
ステップＳ１２８では、カウント値Ｌ記憶用メモリＭ３４に２を上書きし、ステップＳ６３に戻る。
【０１１６】
また、ステップＳ１１３からステップＳ１３９に移行した場合は、ステップＳ１３９でカウント値Ｌに１を加算してカウント値Ｌ記憶用メモリＭ３４に上書きし、ステップＳ１４０でメモリＭ５１から各小切れ１ａの文字/番号の桁数を読込む。
【０１１７】
続いて、ステップＳ１４１でカウント値Ｌが各小切れ１ａの文字/番号の桁数以下であれば（NO）、ステップＳ６３に戻り、カウント値Ｌが各小切れ１ａの文字/番号の桁数より大きくなったら（YES）、ステップＳ１４２でカウント値Ｋに１を加算してカウント値Ｋ記憶用メモリＭ１２に上書きする。
【０１１８】
ステップＳ１４３ではメモリＭ５２から大判印刷物中の小切れ１ａの行数を読込み、ステップＳ１４４でカウント値Ｋが大判印刷物中の小切れ１ａの行数以下であれば（NO）、ステップＳ３に戻り、カウント値Ｋが大判印刷物中の小切れ１ａの行数より大きくなったら（YES）、ステップＳ１４５で印刷枚数カウント値Ｐに１を加算し、印刷枚数カウント値Ｐ記憶用メモリＭ１１に上書きして、ステップＳ２に戻る。
【０１１９】
すなわち、ステップＳ１２８，ステップＳ１３９〜ステップＳ１４５では、第１１の工程として、第６〜第９の工程と同様の処理を、２番目（Ｌ＝２）の文字/番号から最後（Ｌ＝ＮL）の文字/番号について繰り返し、第１２の工程として、第１〜第１１の工程と同様の処理を、２行目（Ｋ＝２）の小切れ１ａから最後（Ｋ＝ＮK）の行の小切れ１ａについて繰り返し、第１３の工程として、第１〜第１２の工程と同様の処理を、２枚目（Ｐ＝２）の大判印刷物から最後（Ｐ＝ＮP）の大判印刷物について（すなわち印刷終了まで）繰り返す。
【０１２０】
つまり、本実施の形態においては、各小切れ１ａに印刷された文字/番号の適否を判断する許容値（判断基準）を、大判印刷物１の紙尻側の絵柄の伸びを考慮して各行（カウント値Ｋ）ごとに設定するようにした。また、各文字/番号の形状的な類似率の検査については全ての小切れ１ａで共通の許容値を用いる一方、基準マーク１ｃに対する文字/番号列１ｂの位置の検査は各行ごとに設定された異なる許容値を用いて検査するというように、必要な検査項目のみ許容値を個別に設定できるようにした。また、基準マーク１ｃと文字/番号列１ｂとの位置関係の検査は基準マーク１ｃから最も近い位置にある文字/番号のみにより行い、文字/番号の基準画像との類似率は全ての文字/番号について行うようにした。
【０１２１】
このように構成される本実施の形態に係る有価証券の文字/番号検査装置によれば、大判印刷物１の絵柄に伸びが発生した紙尻側では、くわえ側に比較して基準マーク１ｃに対する文字/番号の位置が多少ずれていたとしても、文字/番号の形状的な類似率が許容値以内であれば正常に印刷されていると判断することができ、各文字/番号の形状的な類似率の検査の精度を維持しつつ、誤ってエラーを表示することを抑制することが可能となり、検査の質を向上させることができる。
【０１２２】
なお、上述した本実施の形態では、一列のみの小切れ１ａの検査の例であって各行（カウント値Ｋ）ごとに小切れ１ａの位置の許容値を設定される例を示したが、絵柄の伸びは列方向の位置によっても異なる場合があるため、小切れ１ａの位置の許容値は各行及び各列ごとに設定すれば好適である。ただし、本発明は上述した実施の形態に限定されるものではなく、例えば、紙尻の絵柄の伸びに応じて少なくとも一つの小切れ１ａの位置の許容値を他の小切れ１ａの位置の許容値と異なるようにしてもよく、本発明の趣旨を逸脱しない範囲で種々の変更が可能であることは言うまでもない。
【産業上の利用可能性】
【０１２３】
本発明は、有価証券の文字/番号検査装置及び文字/番号検査方法に適用することができる。
【符号の説明】
【０１２４】
１…大判印刷物（印刷用紙）、１ａ…小切れ、１ｂ…文字/番号列、１ｃ…基準マーク、１０…文字/番号検査装置、１１…ＣＰＵ、１２…ＲＯＭ、１３…ＲＡＭ、１４〜１７…入出力装置、１８…入力装置、１９…表示器、２０…出力装置、２１…番号印刷機の回転位相検出用カウンタ、２２…番号印刷機駆動モータ用ロータリ・エンコーダ、１００…組合せ印刷機、１０１…給紙装置、１０２…フィーダ・ボード、１０３…スイング装置、１０４…渡胴、１０５…渡胴、１０６…印章印刷ユニット、１０７…圧胴、１０８…印章胴、１０９…インキ装置、１１０…搬送胴、１１１…第１の番号印刷ユニット、１１２…圧胴、１１３…第１の番号胴、１１４…インキ装置、１１５…搬送胴、１１６…第２の番号印刷ユニット、１１７…圧胴、１１８…第２の番号胴、１１９…インキ装置、１２０…搬送胴、１２１…第１の乾燥ユニット、１２２…搬送胴、１２３…乾燥ランプ、１２４Ａ…印章用検査カメラ、１２４Ｂ…第１の番号用検査カメラ、１２４Ｃ…第２の番号用検査カメラ、１２５Ａ〜１２５Ｃ…照明器、１２６…他方面コーティングユニット、１２７…圧胴、１２８…他方面コーティング胴、１２９…アニロックスローラ、１３０…チャンバコータ、１３１…搬送胴、１３２…第２の乾燥ユニット、１３３…搬送胴、１３４…乾燥ランプ、１３５…一方面コーティングユニット、１３６…圧胴、１３７…一方面コーティング胴、１３８…アニロックスローラ、１３９…チャンバコータ、１４０…排紙装置、１４１…デリバリ胴、１４２…搬送チェーン、１４３ａ〜１４３ｃ…積載台、１４４…吸引ガイド、１４５…乾燥ランプ、Ｍ１１〜Ｍ５２…メモリ。
【図１】
2018008414.tif 000003
【図２】
2018008414.tif 000004
【図３】
2018008414.tif 000005
【図４】
2018008414.tif 000006
【図５】
2018008414.tif 000007
【図６Ａ】
2018008414.tif 000008
【図６Ｂ】
2018008414.tif 000009
【図６Ｃ】
2018008414.tif 000010
【図７Ａ】
2018008414.tif 000011
【図７Ｂ】
2018008414.tif 000012
【図７Ｃ】
2018008414.tif 000013
【図７Ｄ】
2018008414.tif 000014
【図７Ｅ】
2018008414.tif 000015
【図８Ａ】
2018008414.tif 000016
【図８Ｂ】
2018008414.tif 000017
【図８Ｃ】
2018008414.tif 000018
【図８Ｄ】
2018008414.tif 000019
【図９Ａ】
2018008414.tif 000020
【図９Ｂ】
2018008414.tif 000021
【図９Ｃ】
2018008414.tif 000022
【図９Ｄ】
2018008414.tif 000023
【図９Ｅ】
2018008414.tif 000024
【図１０Ａ】
2018008414.tif 000025
【図１０Ｂ】
2018008414.tif 000026
【図１０Ｃ】
2018008414.tif 000027
【図１１】
2018008414.tif 000028